(57)【要約】      （修正有）【課題】交換襟の帯袋形状襟台からシャツ本体両端が垂れ下がりやすいこと、及び襟台両端がシャツ本体から浮き、外観が悪くなることを防止する。【解決手段】ファスナーの一方片を、襟台後ろ面に、一方端から中央近傍に渡り接続し、他方端から中央近傍に渡り接続し、他方片をシャツ本体首周囲に一方端から中央近傍に渡り接続し、他方端から中央近傍に渡り上方に突出して接続する。又はシャツ本体首周囲に、帯形状部材を接続し、他方片を帯形状部材に一方端から中央近傍に渡り接続し、他方端から中央近傍に渡り接続する。【選択図】図１
2019183328.tif 000002
【特許請求の範囲】
【請求項１】
嵌合部と受け棒と差込棒とスライダーと布部を有し組となるファスナーの
一方片を嵌合部を下方にして受け棒又は差込棒を端側にして
交換襟の襟台後ろ面上方に一方端から中央近傍に渡り接続し他方端から中央近傍に渡り接続し
他方片を嵌合部を上方にして差込棒又は受け棒を端側にして
シャツ本体首周囲に一方端から中央近傍に渡り上方に突出して接続し他方端から中央近傍に渡り上方に突出して接続する
又は
シャツ本体首周囲の両端に渡り帯形状部材を上方に突出して接続し、
他方片を
嵌合部を上方にして差込棒又は受け棒を端側にして帯形状部材の上方に一方端から中央近傍に渡り上方に突出して接続し他方端から中央近傍に渡り上方に突出して接続することを特徴とする、襟交換シャツ。
【請求項２】
前記シャツ本体の首周囲両端に突片又は透孔を有する突片又は透孔を構成した&cap;形紐形状部材を上方に突出して設けて突出部と称し
前記他方片を嵌合部を上方にして受け棒又は差込棒を端側にして
前記シャツ本体の突出部の
一方端内側から中央近傍に渡り上方に突出して接続し
他方端内側から中央近傍に渡り上方に突出して接続し
又は両端の突出部の内側首周囲両端に渡り帯形状部材を上方に突出して設け
前記他方片を嵌合部を上方にして受け棒又は差込棒を端側にして
帯形状部材の上方の
一方端から中央近傍に渡り上方に突出して接続し
他方端から中央近傍に渡り上方に突出して接続し
前記襟台後ろ面両端に突出部が位置する間隙を設け
襟台後ろ面上方に前記一方片を嵌合部を下方にして受け棒又は差込棒を端側にして
一方端の間隙の内側から中央近傍に渡り接続し
他方端の間隙の内側から中央近傍に渡り接続する
ことを特徴とする、請求項１に記載の襟交換シャツ。
【請求項３】
面接合部材を
前記襟台の後ろ面の両端に渡り設け
又は一方端から中央近傍に渡り設け他方端から中央近傍に渡り設け
又は一方端の前記間隙の内側から中央近傍に渡り設け
他方端の前記間隙の内側から中央近傍に渡り設け
面接合部材を
前記シャツ本体首周囲の両端に渡り上方に突出して設け
又は
一方端の前記突出部の内側から中央近傍に渡り上方に突出して設け
他方端の前記突出部の内側から中央近傍に渡り上方に突出して設け
又は    
前記突出部の内側両端に渡り上方に突出して帯形状部材を設け
該帯形状部材の前面一方端から中央近傍に渡り設け他方端から中央近傍に渡り設ける
ことを特徴とする、請求項１又は２に記載の襟交換シャツ。
【請求項４】
前記透孔に相対して前記襟台両端の前記間隙の位置に接合部材を設けることを特徴とする、請求項１，２又は３に記載の襟交換シャツ。
【発明の詳細な説明】
【技術分野】
【０００１】
本発明は、襟交換シャツに設ける接続部材の接続方法に関するものである。
【背景技術】
【０００２】
従来、汚染は襟羽と襟台の両方に同時発生するので、襟羽のみの交換では汚染部位の完全除去は得られない。
襟羽の下縁辺の接合部材と襟上縁辺を凹凸接合部材で挿置する方法では、嵌合接続していないため、シャツ着用中に襟羽が抜脱してしまい通常の使用に耐えられない。
凹凸接合部材は複数回の襟や本体の洗濯により。凹凸接合部材に変形が生じ、接合することが困難になり、使用不能になったり、接合部材が外れやすい状態であった。
（特許文献１参照） 
【特許文献１】特開２０００−４５１１６号
【発明の開示】
【発明が解決しようとする課題】
【０００３】
襟台とシャツ本体を接合する接合部材に、嵌合部と受け棒と差込棒とスライダーを有し組となるファスナーを、襟台及びシャツ本体首周りに設け、複数回の洗濯においても、嵌合部材の変形がなく実用的使用に耐える品質を維持する。
本発明での襟羽と襟台を同時に交換するので、襟羽と襟台の同時汚染を完全に除去できる。
ファスナーの取り付け方法は、ファスナーの受け棒を、襟台とシャツ本体首周囲の両端側にして、襟台又はシャツ本体首周囲の一方端から中央近傍に渡り接続し、他方端から中央近傍に渡り接続することで、襟台後ろ面中央近傍にスライダーが位置して、襟台後面が少々膨らむが、襟羽の内側に位置するので外観をそこねることがない。又、接合部材が着用者に不快感を与えない。又、ファスナーの嵌合歯で接合するので、着用時に交換襟台とシャツ本体が確実に接合され外れることがない。
【課題を解決するための手段】
【０００４】
請求項１によれば、嵌合部と受け棒と差込棒とスライダーと布部を有し組となるファスナーの
一方片を嵌合部を下方にして受け棒又は差込棒を端側にして
交換襟の襟台後ろ面上方に一方端から中央近傍に渡り接続し他方端から中央近傍に渡り接続し
他方片を嵌合部を上方にして差込棒又は受け棒を端側にして
シャツ本体首周囲に一方端から中央近傍に渡り上方に突出して接続し他方端から中央近傍に渡り上方に突出して接続する
又は
シャツ本体Ｆ首周囲Ｋの両端に渡り帯形状部材を上方に突出して接続し、
他方片を嵌合部を上方にして差込棒又は受け棒を端側にして
帯形状部材の上方に一方端から中央近傍に渡り上方に突出して接続し他方端から中央近傍に渡り上方に突出して接続することを特徴とする。
請求項２によれば
前記シャツ本体の首周囲両端に突片又は透孔を有する突片又は透孔を構成した&cap;形紐形状部材を上方に突出して設けて突出部と称し
前記他方片を嵌合部を上方にして受け棒又は差込棒を端側にして
前記シャツ本体の突出部の
一方端内側から中央近傍に渡り上方に突出して接続し
他方端内側から中央近傍に渡り上方に突出して接続し
又は両端の突出部の内側首周囲両端に渡り帯形状部材を上方に突出して設け
前記他方片を嵌合部を上方にして受け棒又は差込棒を端側にして
帯形状部材の上方の
一方端から中央近傍に渡り上方に突出して接続し
他方端から中央近傍に渡り上方に突出して接続し
前記襟台後ろ面両端に突出部が位置する間隙を設け
襟台後ろ面上方に前記一方片を嵌合部を下方にして受け棒又は差込棒を端側にして
一方端の間隙の内側から中央近傍に渡り接続し
他方端の間隙の内側から中央近傍に渡り接続する
ことを特徴とする。
請求項３によれば                
面接合部材を
前記襟台の後ろ面の両端に渡り設け
又は一方端から中央近傍に渡り設け他方端から中央近傍に渡り設け
又は一方端の前記間隙の内側から中央近傍に渡り設け
他方端の前記間隙の内側から中央近傍に渡り設け
面接合部材を
前記シャツ本体首周囲の両端に渡り上方に突出して設け
又は
一方端の前記突出部の内側から中央近傍に渡り上方に突出して設け
他方端の前記突出部の内側から中央近傍に渡り上方に突出して設け
又は    
前記突出部の内側両端に渡り上方に突出して帯形状部材を設け
該帯形状部材の前面一方端から中央近傍に渡り設け他方端から中央近傍に渡り設ける
ことを特徴とする。
請求項４によれば
前記透孔に相対して前記襟台両端の前記間隙に接合部材を設けることを特徴とする。  
【発明の効果】
【０００５】
汚染される部位は襟台と襟羽であり、襟台と襟羽を同時に交換するので汚染部位が完全に無くなる。
嵌合する方法のファスナーで襟台とシャツ本体を接続するので、使用途中に交換襟が外れる事がなくなる。
【発明を実施するための最良の形態】
【０００６】
以下、本発明の実施の形態を図により説明する。
図1
(Ａ)は、２片で組となるファスナーの、
一方片の接続ファスナーＡ１９の布部３５を、嵌合歯Ａ２８を下方にし差込棒Ａ２３(受け棒Ａ２５でもよく)を端側にして、襟台Ｃ後ろ面の一方端から中央近傍に渡り接続し、
一方片の接続ファスナーＢ２０の布部３５を嵌合歯Ｂ２７を下方にし差込棒Ｂ２４(受け棒Ｂ２６でもよく)を端側にして、襟台Ｃ後ろ面の他方端から中央近傍に接続し、
【０００７】
(Ｂ)は、２片で組となるファスナーの、
他方片の接続ファスナーＡa２１の布部３５を、嵌合歯Ａa２９を上方にし受け棒Ａ２５(差込棒Ａ２３でもよく)を端側にして、
シャツ本体Ｆ首周囲Ｋの一方端から中央近傍に渡り上方に突出して接続し、
他方片の接続ファスナーＢb２２の布部３５を、嵌合歯Ｂb３０を上方にし受け棒Ｂ２６(差込棒Ｂ２４でもよく)を端側にして、
シャツ本体Ｆ首周囲Ｋの他方端から中央近傍に渡り上方に突出して接続する。
【０００８】
これにより、首の後ろ側中央近傍で双方のスライダーで襟台にふくらみが生じるが、ネクタイを使用してシャツを着用する際には、ネクタイを緊縛しない通常の締め方では、不快感を生じることはなく、
又 ネクタイ不使用で着用した際には、ふくらみが襟羽の裏になり外観を美麗に保つことができる。
(Ｃ)は、
(Ａ)の襟台Ｃと(Ｂ)のシャツ本体Ｆを接合した状態を示し、
差込棒Ａ２３をスライダーＡ３２に挿通して受け棒Ａ２５に嵌設し、
スライダーＡ３２を中央方向に摺動させて嵌合歯Ａ２８と嵌合歯Ａa２９を着脱自在に接合し、
差込棒Ｂ２４をスライダーＢ３１に挿通して受け棒Ｂ２６に嵌設し、
【０００９】
スライダーＢ３１を中央方向に摺動させて嵌合歯Ｂ２７と嵌合歯Ｂb３０を着脱自在に接合する。
(Ａ)の襟台Ｃを(Ｂ)のシャツ本体Ｆから取り外すには、スライダーＡ３２とスライダーＢ３１を両端方向へ摺動させて、嵌合歯Ａ２８と嵌合歯Ａa２９、嵌合歯Ｂ２７と嵌合歯Ｂb３０を離反し、差込棒Ａ２３と差込棒Ｂ２４を、受け棒Ａ２５と受け棒Ｂ２６から抜き取り、襟台Ｃをシャツ本体Ｆから取り外す。受け棒Ａ２５又は受け棒Ｂ２６を襟台Ｃの端側に設け、差込棒Ａ２３又は差込棒Ｂ２４をシャツ本体Ｆ首周囲Ｋの端側に設けることで、シャツ着用時に、前面になる襟襟台Ｃの両端がふくれることなくスマートな外観を得る。
カジュアルなシャツでは、厚手の生地を使用することが多いので、襟台両端が多少隆起しても外観を損ねることがない。
【００１０】
（Ｄ）は、シャツ本体Ｆ首周囲Ｋの両端に渡り帯形状部材１４を上方に突出して接続し、
２片で組となるファスナーの、
他方片の接続ファスナーＡa２１の布部３５を、嵌合歯Ａa２９を上方にし受け棒Ａ２５(差込棒Ａ２３でもよく)を端側にして、帯形状部材１４の上方の、一方端から中央近傍に渡り上方に突出して接続し、
他方片の接続ファスナーＢb２２の布部３５を、嵌合歯Ｂb３０を上方にし受け棒Ｂ２６(差込棒Ｂ２４でもよく)を端側にして、帯形状部材１４の上方の、他方端から中央近傍に渡り上方に突出して接続する。
シャツの製造過程において、接続ファスナーAa２１又は２２接続ファスナーBbの材質によっては、首周囲Ｋに接続ファスナーAa２１又は２２接続ファスナーBbを直接接続することが困難な際に、この方法をもちいる。
【００１１】
図２
(Ａ)は、
襟台Ｃの両端に&cap;形紐形状部材６が位置する間隙２を設け、間隙の位置に凸部材１を後方に突出して設け、
２片で組となるファスナーの、
一方片の接続ファスナーＡ１９の布部３５を嵌合歯Ａ２８を下方にし差込棒Ａ２３(受け棒Ａ２５でもよく)を端側にして、襟台Ｃ後ろ側の一方端間隙２の内側から中央近傍に渡り接続し、
一方片の接続ファスナーＢ２０の布部３５を嵌合歯Ｂ２７を下方にし差込棒Ｂ２４(受け棒Ｂ２６でもよく)を端側にして、襟台Ｃ後ろ側の他方端間隙２の内側から中央近傍に接続し、
【００１２】
(Ｂ)は、
シャツ本体Ｆ首周囲Ｋの両端に、紐形状部材を&cap;形にした両端を首周囲Ｋに接続して&cap;形紐形状部材６を上方に突出して構成し、２片で組となるファスナーの、他方片の接続ファスナーＡa２１を嵌合歯Ａa２９を上方にし受け棒Ａ２５(差込棒Ａ２３でもよく)を端側にして、シャツ本体Ｆ首周囲Ｋの一方端&cap;形紐形状部材内側から中央近傍に渡り布部３５を上方に突出して接続し、他方片の接続ファスナーBb２２を嵌合歯Ｂb３０を上方にし受け棒Ｂ２６(差込棒Ｂ２４でもよく)を端側にして、シャツ本体Ｆ首周囲Ｋの他方端&cap;形紐形状部材内側から中央近傍に渡り布部３５を上方に突出して接続し、
【００１３】
（Ｂ-a）は、
両端の&cap;形紐形状部材６の内側両端の首周囲Ｋに渡り帯形状部材１４を接続し、
２片で組となるファスナーの、他方片の接続ファスナーＡa２１を嵌合歯Ａa２９を上方にし受け棒Ａ２５(差込棒Ａ２３でもよく)を端側にして、帯形状部材１４の一方端から中央近傍に渡り上方に突出して接続ファスナーＡa２１の布部３５の上方に接続し、
他方片の接続ファスナーBb２２の布部３５を嵌合歯Ｂb３０を上方にし受け棒Ｂ２６(差込棒Ｂ２４でもよく)を端側にして、
帯形状部材１４上方の中央近傍に渡り上方に突出して上方に接続する。
これはシャツの製造過程において、接続ファスナーＡa２１又は２２接続ファスナーBbの材質によっては、首周囲Ｋに接続ファスナーAa２１又は２２接続ファスナーBbを直接接続することが困難な際に、この方法をもちいる。
【００１４】
(Ｃ)は、(Ａ)の襟台Ｃと(Ｂ)のシャツ本体Ｆを接合した状態（(Ａ)と（Ｂ-a）でもよく）を示し、差込棒Ａ２３をスライダーＡ３２に挿通して受け棒Ａ２５に嵌設し、スライダーＡ３２を中央方向に移動させて嵌合歯Ａ２８と嵌合歯Ａa２９を着脱自在に接合し、差込棒Ｂ２４をスライダーＢ３１に挿通して受け棒Ｂ２６に嵌設し、スライダーＢ３１を中央方向に移動させて嵌合歯Ｂ２７と嵌合歯Ｂb３０を着脱自在に接合する。
【００１５】
(Ｄ)は、&cap;形紐形状部材６に代わり、多角形紐形状部材８にした状態で、金属類や樹脂類などの強固な板形状部材を用いる際にこの形状でもよく、
（Ｄ-a）は、（Ｂ-a）の&cap;形紐形状部材６に代わり、多角形紐形状部材８にした状態で、
両端の多角形紐形状部材８の内側両端の首周囲Ｋに渡り帯形状部材１４を接続し、
ファスナーの、他方片の接続ファスナーＡa２１を嵌合歯Ａa２９を上方にし受け棒Ａ２５(差込棒Ａ２３でもよく)を端側にして、帯形状部材１４の一方端から中央近傍に渡り上方に突出して接続ファスナーＡa２１の布部３５の上方に接続し、
【００１６】
他方片の接続ファスナーＢb２２の布部３５を嵌合歯Ｂb３０を上方にし受け棒Ｂ２６(差込棒Ｂ２４でもよく)を端側にして、帯形状部材１４上方の中央近傍に渡り上方に突出して上方に接続し、
(Ｅ)は、透孔５を有する突片４を、首周囲Ｋの両端に用いた状態で、突片４の素材は樹脂などの人工素材や金属や布などの天然素材等何でもよい。
（Ｅ-a）は、（Ｂ-a）の&cap;形紐形状部材６に代わり突片透孔３を設けた突片４にした状態で、
【００１７】
両端の突片４の内側両端の首周囲Ｋに渡り帯形状部材１４を接続し、
ファスナーの、他方片の接続ファスナーＡa２１を嵌合歯Ａa２９を上方にし受け棒Ａ２５(差込棒Ａ２３でもよく)を端側にして、帯形状部材１４の一方端から中央近傍に渡り上方に突出して接続ファスナーＡa２１の布部３５の上方に接続し、
他方片の接続ファスナーＢb２２の布部３５を嵌合歯Ｂb３０を上方にし受け棒Ｂ２６(差込棒Ｂ２４でもよく)を端側にして、帯形状部材１４上方の中央近傍に渡り上方に突出して上方に接続し、
【００１８】
(Ｆ)は、(Ａ)の襟台両端の間隙２に襟台接合部材１を設けない状態で、下記の（Ｇ）と相対して用いるもので、
（Ｇ）は、突片４を、首周囲Ｋの両端に用い、、突片４の素材は面接合部材又は樹脂などの人工素材や金属や布などの天然素材等何でもよく、(Ｆ)の襟台Ｃの両端間隙２と突片４は、相互に面接合部材を設けたり、針形状のネクタイピン類で接合する。
(Ｂ)（Ｂ-a）、(Ｄ)〜（Ｅ-a）、（Ｇ）は、襟台両端が受け棒Ａ２５により隆起することがなく、突片４や&cap;形や多角形の紐形状部材で襟台とシャツ本体Ｆを接合するので、受け棒Ａ２５が両端に位置する場合より、襟台両端が平滑になり、ビジネスワイシャツやビジネスブラウスシャツに使用することで、よりスリムな外見を得る。
【００１９】
図３（Ａ）は、襟台Ｃ後ろ面の両端に渡り襟台面接合部材７を設け、
（Ａ-a）は、襟台Ｃ後ろ面の両端間隙２の内側両端に渡り襟台面接合部材７を設け、
（Ｂ）は、襟台Ｃの一方端間隙２の内側からから中央近傍に渡り襟台面接合部材７を設け、他方端間隙２の内側から中央近傍に渡り襟台面接合部材７を設け、
（Ｃ）は、シャツ本体Ｆ首周囲Ｋの両端に渡り上方に突出して襟台面接合部材７を設け、
（Ｃ-a）は、シャツ本体Ｆ首周囲Ｋの両端の、&cap;紐形状部材６内側両端に渡り上方に突出して襟台面接合部材７を設け
（（Ｄ）〜（Ｊ）は（Ｂ）に相対するシャツ本体Ｆで、）
（Ｄ）は、シャツ本体Ｆの首周囲Ｋの両端に&cap;紐形状部材６を設け、
一方端の&cap;形紐形状部材６の内側から中央近傍に渡り上方に突出して襟台面接合部材７を設け
【００２０】
他方端の&cap;形紐形状部材６の内側から中央近傍に渡り上方に突出して襟台面接合部材７を設け（両端に&cap;形紐形状部材６又は突片透孔３を設けた突片４又は突片４又は多角形紐形状部材８を設けなくてもよく）
これにより、強い接合力で伸展力が強い襟台面接合部材７を使用しても、ネクタイ不使用時に、襟台Ｃの両端が開き過ぎず、
【００２１】
（Ｅ）は、（Ｄ）の両端に突片透孔３を設けた突片４を設けた状態、
（Ｆ）は、（Ｄ）の両端に突片４（Ｃ）又は（Ｄ）の両端に突片４を設けた状態、
（Ｇ）は、（Ｄ）の両端に多角形紐形状部材８を設けた状態、
（Ｈ）は、首周囲Ｋの両端に&cap;形紐形状部材６を接続し、両端の紐形状部材６の内側両端に渡り首周囲Ｋに帯形状部材１４を接続し、帯形状部材１４の前面の一方端から中央近傍に渡り襟台面接合部材７を接続し、他方端か中央近傍に渡り襟台面接合部材７を接続し、
（Ｉ）は、（Ｈ）の&cap;形紐形状部材６に変えて突片透孔３を有する突片４を接続し、
（Ｊ）は、（Ｈ）の&cap;形紐形状部材６に変えて突片４を接続し、
面接合部材を使用することで、襟台及びシャツ本体Fの首周囲Ｋに接合部材を縫合するのが容易になり、製造が容易になる。
【００２２】
図４
（Ａ）は、シャツ本体Ｆの突片４又は突片透孔３又は&cap;形紐形状部材６の透孔に相対して
、襟台Ｃの両端間隙２に襟台接合部材１を設け、襟台接合部材１には嵌合ホック、カギホック、面接合部材など何でもよく、
（Ｂ）は、シャツ本体Ｆの突片４又は突片透孔３又は&cap;形紐形状部材６の透孔に相対して襟台面接合部材７を設けた襟台Ｃの両端間隙２に襟台接合部材１を設け、襟台接合部材１には嵌合ホック、カギホック、面接合部材など何でもよく、
【００２３】
（Ｃ）は、シャツ本体Ｆの突片４又は突片透孔３又は&cap;形紐形状部材６の透孔に相対して２枚の襟台面接合部材７を設けた襟台Ｃの両端間隙２に襟台接合部材１を設ける。
襟台接合部材１と突片４に設ける接合部材は、凹凸嵌合ボタン、組カギホック、ボタンとボタン孔など何でもよく、又突片透孔３又は&cap;形紐形状部材６が接合する、襟台接合部材１の部材は凸形状部材、カギ形状ホック、など何でもよい。
【００２４】
図５は、
（Ａ）は、図１（Ｃ）の、Z−Z断面で、
襟台Ｃの上方に接続された、接続ファスナーＢ２０の布部３５とその先端に接続された嵌合歯Ｂ２７、
シャツ本体Ｆの首周囲Ｋに接続された接続ファスナーＢb２２の布部３５の先端に接続された嵌合歯Ｂb３０で、
嵌合歯Ｂ２７と嵌合歯Ｂb３０は接合離反自在に嵌設接続している。
（Ｂ）は、本発明に使用するファスナー１５で、受け棒１６と差込棒１７と嵌合歯１８と
３４スライダーと布部３５から構成されている。
【００２５】
（Ｃ）は、本発明に使用する面ファスナーで面接合部材a３９と面接合部材b４０の一対で使用し、シャツ本体Ｆの首周囲Ｋに接続し又は帯形状部材帯１４と襟台Ｃの後ろ面に、
面接合部材a３９と面接合部材b４０のいずれかを用いる。
（Ｄ）は、（Ｃ）のＫーＫ断面で、面接合部材b４０の面接合部材b接合部４１と面接合部材a３９の面接合部材a接合部４２が接合離反自在に接合する。
【図面の簡単な説明】
【００２６】
【図１】スライダー差込棒受け棒からなるファスナーを襟台とシャツ首周囲に設けた図
【図２】シャツ首周囲両端に突片、透孔設けた突片、&cap;形紐形状部材を設けた図
【図３】襟台とシャツ首周囲に面接合部材を設けた図
【図４】襟台にスライダー差込棒受け棒からなるファスナー又は面接合部材を設けた図面
【図５】図１の接合部位の断面図とファスナー
【符号の説明】
【００２７】
Ａ襟羽
Ｂ線襟台接続離反自在部材
Ｃ襟台
Ｆシャツ本体
Ｈ線本体接続離反自在部材
Ｉ面襟台接続離反自在部材
Ｋ首周囲
１襟台接合部材
２間隙
３突片透孔
４突片
５透孔
６&cap;紐形状部材
７襟台面接合部材
８多角形紐形状部材
９シャツ本体面接合部材
１０輪形状紐形状部材
１１多折曲輪紐形状部材
１２突片接合部材
１３襟台端接合部材
１４帯形状部材
１５ファスナー
１６受け棒
１７差込棒
１８嵌合歯
１９接続ファスナーＡ
２０接続ファスナーＢ
２１接続ファスナーＡa
２２接続ファスナーＢb
２３差込棒Ａ
２４差込棒Ｂ
２５受け棒Ａ
２６受け棒Ｂ
２７嵌合歯Ｂ
２８嵌合歯Ａ
２９嵌合歯Ａa
３０嵌合歯Ｂb
３１スライダーＢ
３２スライダーＡ
３３シャツ本体接続部材
３４スライダー
３５布部
３６紐間隙
３７ファスナー透孔
３８接続部材透孔
３９面接合部材a
４０面接合部材b
４１面接合部材b接合部
４２面接合部材a接合部
【図１】
2019183328.tif 000003
【図２】
2019183328.tif 000004
【図３】
2019183328.tif 000005
【図４】
2019183328.tif 000006
【図５】
2019183328.tif 000007